【事件の表示】
　平成　８年特許願第　７８３３９号「パチンコゲーム機」拒絶査定不服審判事件〔平成　９年　９月１６日出願公開、特開平　９−２３９１１３〕について、次のとおり審決する。
【結　論】
　本件審判の請求は、成り立たない。
【理　由】
１．手続の経緯 
　本願は、平成８年３月５日の出願であって、平成１８年５月１２日付けで拒絶の理由が通知され、これに対し同年８月２日付けで手続補正がされ、同年８月３１日付けで拒絶査定がされ、これに対し同年１０月２４日に拒絶査定不服審判が請求された。 
　　 
２．本願発明 
　本願の請求項１に記載された発明は、平成１８年８月２日付けの手続補正により補正された明細書の特許請求の範囲の請求項１に記載された以下のとおりのものと認める。
　 
　「前面側に開口する正面視横長四角形の大入賞口の前面部を閉塞するように係着された長方形の第１開閉扉と、
　前記大入賞口より狭い開口幅で前面側に開口する始動口の前面部を閉塞するように係着された前記第１開閉扉よりも横幅が狭い第２開閉扉と、
　所定の通過口のパチンコ球の通過によって図柄の変換表示が開始する可変表示器と、
　前記始動口への入賞によって複数の図柄の変換表示が開始する可変表示装置とを有し、
　前記可変表示器が所定の図柄で停止表示されると前記第２開閉扉が所定時間上方を開放するように前面側方向に回動して前記始動口へパチンコ球が入賞可能となり、
　前記可変表示装置が複数の所定図柄で揃って停止表示されると前記第１開閉扉が上方に開放されて前記大入賞口へパチンコ球が入賞可能となるパチンコゲーム機において、
　前記第２開閉扉を係着した始動口が、前記第１開閉扉を係着した大入賞口の直上に隣接して配設したものであることを特徴とするパチンコゲーム機。」（以下、「本願発明」という。） 
　 
３．引用文献　 
　原査定の拒絶の理由に引用された特開平６−１２１８７１号公報（以下、「引用文献」という。）には、以下の事項が図面とともに記載されている。 
・記載事項１
　「図１はパチンコ遊技機１の前面斜視図で、」（段落【００１８】）
・記載事項２  
　「変動入賞装置２１の直上方には始動口２２が配設され、始動口２２には入賞球を検出する始動スイッチ２３が設置される。」（段落【００２１】）
・記載事項３ 
　「変動入賞装置２１は、図２のように遊技盤３に取付けられる基板７５の中央に長方形の大入賞口７６が形成され、大入賞口７６に球を受け入れない閉状態（遊技者に不利な状態）と、球を受け入れやすい開状態（遊技者に有利な状態）とに変換可能な開閉扉７７が配設される。」（段落【００５５】）
・記載事項４  
　「開閉扉７７は、基板７５に基部両端を回動自由に支持され、基板７５の裏面に設けた駆動ソレノイド７８をオンすると、閉状態から開状態に変換され、駆動ソレノイド７８をオフすると、開状態から閉状態に変換される。」（段落【００５６】）　 　　 
・記載事項５ 
　「始動口２２は、基板７５に通常の入賞口を間に球を受け入れ難い閉状態（遊技者に不利な状態）と、球を受け入れやすい開状態（遊技者に有利な状態）とに変換可能な開閉翼８２ａ，８２ｂが配設され、基板７５の裏面に駆動ソレノイド８３が設けられる。」（段落【００５８】）
 ・記載事項６  
　「次に、遊技制御の内容を図１２〜図２６のフローチャートに、映像制御の内容を図２７〜図３３のフローチャートに基づいて説明する。フローチャート中、映像表示装置２０を特図、普通図柄表示器８７を普図、始動口２２の開閉翼８２ａ，８２ｂを普電と呼ぶ。」（段落【００７８】）　 　　 
・記載事項７ 
　「普図処理は、図１３のように普図始動口８４ａ，８４ｂに通過球（普図始動スイッチ８５のオン）があると、通過記憶数を最大４つまで更新すると共に、普図用の乱数を抽出、記憶する（１．０１〜１．０５）。」（段落【００８１】）
・記載事項８
　「この通過記憶があれば、普図の可変表示（図柄変動表示）を開始、通過記憶数を更新（−１）し、普図遊技処理に入る（１．０８〜１．１１）。」（段落【００８２】）
・記載事項９  
　「通常の場合は乱数値を当たり確率の低い通常の低確率の数値と比較し（２．１０）、特別の場合（後述する）は乱数値を当たり確率の高い特別の高確率の数値と比較し（２．１１）、一致したときに当たりと判定する。」（段落【００８４】）　 　　 
・記載事項１０ 
　「当たりのときは、普図の当たり図柄を選出し、その当たり図柄にて停止すると共に、普電を開放し、所定時間（例えば３秒）が経過すると、普電を閉じる（２．１３〜２．１５，２．０１〜２．０４）。」（段落【００８５】）
・記載事項１１  
　「特図処理は、図１５のように始動口２２に入賞（始動スイッチ２３のオン）があると、始動入賞記憶を最大４つまで更新すると共に、特図用の乱数を抽出、記憶する（３．０１〜３．０５）。」（段落【００８８】） 
・記載事項１２
　「この始動入賞記憶があれば、特図の可変表示（図柄変動表示）を開始（同時にランプ、ＬＥＤ、装飾音等をセット）、始動入賞記憶を更新（−１）し、可変表示コマンドをセットして、特図遊技処理に入る（３．０８〜３．１１，３．１５）。」（段落【００８９】）
・記載事項１３  
　「特図遊技処理は、図１６〜図２０のように可変表示開始から所定時間が経過すると、始動入賞記憶時に抽出、記憶した乱数値から当たり（大当たり）かどうかを判定する（４．３５〜４．４０）。」（段落【００９１】）
・記載事項１４ 
　「大当たりのときは、特図の当たり図柄を選出し、ハズレのときは、特図のハズレ図柄を選出し、停止図柄（データナンバ）をセットする（４．４１〜４．４３）。」（段落【００９２】）
・記載事項１５  
　「この際、左、中、右の停止図柄がデータナンバ０〜２のいずれかで一致しているとき、左、右の停止図柄がデータナンバ３で、中の停止図柄がデータナンバ３または４のとき、左、右の停止図柄がデータナンバ４で、中の停止図柄がデータナンバ５または６のとき、左、右の停止図柄がデータナンバ５で、中の停止図柄がデータナンバ７または８のとき、および左、右の停止図柄がデータナンバ６以上で、中の停止図柄がそれより３だけ少ないデータナンバのとき、大当たりと判定する（７．０１〜７．１４）。」（段落【００９８】）
・記載事項１６ 
　「大当たりの場合は、ファンファーレウエイトタイマ（例えば５秒）、ファンファーレコマンドをセットし、ファンファーレ処理を行う（ランプ、ＬＥＤ、装飾音等をセット）（４．３２〜４．３４，４．１４〜４．１６）。」（段落【０１０１】）
・記載事項１７  
　「ファンファーレ処理が終了すると、特別遊技つまり変動入賞装置２１の大入賞口７６を開放すると共に、大入賞口開放コマンドをセットする（４．１８〜４．２３）。」（段落【０１０２】）
・記載事項１８
　「左、右の図柄が、図３５のように１つの記号表示（図３４のデータナンバ３〜５以外）の同一図柄で停止したときは、点滅等のリーチ可変表示を行いながら、中の図柄が緩やかにスクロールされ、その中の図柄が左、右の停止図柄と同一図柄で停止すれば、大当たりとなる。」（段落【０１４６】）
・記載事項１９
　「左、右の図柄が、図３６のように２つの記号表示（図３４のデータナンバ３〜５）の同一図柄で停止したときは、特殊リーチにより、点滅等の特殊リーチ可変表示を行いながら、中の図柄が緩やかにスクロールされ、その中の図柄が左、右の停止図柄のうちの１つと同一図柄で停止すれば、大当たりとなる。」（段落【０１４８】）
　
　以上の記載事項を含む全記載及び図示によれば、引用文献には次の発明が記載されていると認められる。  
　「遊技盤３に取付けられる基板７５の中央に形成した長方形の大入賞口７６に球を受け入れない閉状態と、球を受け入れやすい開状態とに変換可能で、かつ、基板７５に基部両端を回動自由に支持した開閉扉７７と、
　始動口２２に配設された、通常の入賞口を間に球を受け入れ難い閉状態と、球を受け入れやすい開状態とに変換可能な開閉翼８２ａ，８２ｂと、
　普図始動口８４ａ，８４ｂに通過球があると、可変表示（図柄変動表示）を開始する普通図柄表示器８７と、
　始動口２２に入賞があると、可変表示（図柄変動表示）を開始する映像表示装置２０とを有し、
　普通図柄表示器８７が当たり図柄にて停止すると、始動口２２の開閉翼８２ａ，８２ｂを所定時間開放し、
　映像表示装置２０の中の図柄が左、右の停止図柄と同一図柄で停止すると、基板７５に基部両端を回動自由に支持された開閉扉７７が閉状態から開状態に変換され、大入賞口に球を受け入れやすい開状態となる、パチンコ遊技機１において、
　開閉翼８２ａ，８２ｂを配設した始動口２２が、開閉扉７７を大入賞口７６に配設してなる変動入賞装置２１の直上方に設置したものであるパチンコ遊技機。」（以下、「引用発明」という。）  
　
４．対比  
　本願発明と引用発明を対比する。 
　引用発明の「大入賞口７６」は本願発明の「大入賞口」に、以下同様に、「開閉扉７７」は「第１開閉扉」に、「始動口２２」は「始動口」に、「球」は「パチンコ球」に、「普通図柄表示器８７」は「可変表示器」に、「映像表示装置２０」は「可変表示装置」に、「パチンコ遊技機１」は「パチンコゲーム機」に相当する。
　そして、以下のことがいえる。 
（１）一般にパチンコ機において、大入賞口を前面側に開口した正面視横長四角形のものとすることはよく行われていることであり、引用文献の図２においても大入賞口７７は正面視横長四角形のものとして図示されている。また、引用発明において、「大入賞口７６に球を受け入れない閉状態と、球を受け入れやすい開状態とに変換可能で、かつ、基板７５に基部両端を回動自由に支持した」との構成から、開閉扉７７は大入賞口７６の前面部を閉塞するように係着された長方形のものということができる。
　そうすると、本願発明と引用発明は、「前面側に開口する正面視横長四角形の大入賞口の前面部を閉塞するように係着された長方形の第１開閉扉」なる構成において一致している。
（２）「開閉翼８２ａ，８２ｂ」は「通常の入賞口を間に球を受け入れ難い閉状態と、球を受け入れやすい開状態とに変換」するものであるから、始動口２２である入賞口への球の入賞に影響を与える手段ということができる。一方、本願発明の第２開閉扉は、「始動口の前面部を閉塞」し、「可変表示器が所定の図柄で停止表示されると」「所定時間上方を開放するように前面側方向に回動して前記始動口へパチンコ球が入賞可能」とするものであるから、始動口へのパチンコ球の入賞に影響を与える手段ということができる。
　そうすると、「始動口へのパチンコ球の入賞に影響を与える手段」（以下、「始動口入賞影響手段」という。）を有する点で、本願発明と引用発明は一致している。
（３）引用発明の「普図始動口８４ａ，８４ｂに通過球があると、可変表示（図柄変動表示）を開始する普通図柄表示器８７」において、「普図始動口８４ａ、８４ｂ」は、それに関して「入賞」ではなく「通過球があると」と記載されていることから、一般に普図の変動開始によく用いられている「通過口」と解することが自然である。また、引用発明の「可変表示（図柄変動表示）を開始する」は、「図柄の変換表示が開始する」といいかえることができる。
　そうすると、本願発明と引用発明は、「所定の通過口のパチンコ球の通過によって図柄の変換表示が開始する可変表示器」なる構成において一致している。
（４）引用発明の「始動口２２に入賞があると、可変表示（図柄変動表示）を開始する映像表示装置２０」において、「可変表示（図柄変動表示）を開始する」は「図柄の変換表示が開始する」といいかえることができる。
　そうすると、本願発明と引用発明は、「始動口への入賞によって複数の図柄の変換表示が開始する可変表示装置」なる構成において一致している。
（５）引用発明の「普通図柄表示器８７が当たり図柄にて停止すると、始動口２２の開閉翼８２ａ，８２ｂを所定時間開放し、」において、「普通図柄表示器８７が当たり図柄にて停止すると、」は「可変表示器が所定の図柄で停止表示されると」といいかえることができる。また、引用発明の「始動口２２の開閉翼８２ａ，８２ｂ」と本願発明の「第２開閉扉」が「始動口入賞影響手段」である点で一致していることは上記（２）で記載したとおりである。
　そうすると、本願発明と引用発明は「可変表示器が所定の図柄で停止表示されると、始動口入賞影響手段が所定時間開放する」点で一致している。
（６）引用発明の「映像表示装置２０の中の図柄が左、右の停止図柄と同一図柄で停止すると、基板７５に基部両端を回動自由に支持された開閉扉７７が閉状態から開状態に変換され、大入賞口７６に球を受け入れやすい開状態となる、パチンコ遊技機１において、」において、「映像表示装置２０の中の図柄が左、右の停止図柄と同一図柄で停止すると」は、「可変表示装置が複数の所定図柄で揃って停止表示されると」といいかえることができる。また、「基部両端を回動自由に支持された開閉扉７７が」「開状態」になるということは、開閉扉７７が上方に開放されることを意味することは当業者にとって明らかであって、「大入賞口に球を受け入れやすい開状態」が大入賞口７６へパチンコ球が入賞可能な状態を意味することも明らかである。
　そうすると、本願発明と引用発明は「可変表示装置が複数の所定図柄で揃って停止表示されると第１開閉扉が上方に開放されて大入賞口へパチンコ球が入賞可能となるパチンコゲーム機において、」なる構成において一致している。
（７）引用発明の「開閉翼８２ａ，８２ｂを配設した始動口２２が、開閉扉７７を大入賞口７６に配設してなる変動入賞装置２１の直上方に設置した」において、「始動口２２の開閉翼８２ａ，８２ｂ」と本願発明の「第２開閉扉」が「始動口入賞影響手段」である点で一致していることは上記（２）で記載したとおりである。また、引用発明の始動口２２は大入賞口７６の「直上方」にあり、更に図２の図示からみて、始動口２２は大入賞口７６の直上に隣接して配設したものと認められる。
　そうすると、本願発明と引用発明は、「始動口入賞影響手段を設けた始動口が、第１開閉扉を係着した大入賞口の直上に隣接して配設した」なる構成において一致している。
　
　以上により、本願発明と引用発明は、 
　「前面側に開口する正面視横長四角形の大入賞口の前面部を閉塞するように係着された長方形の第１開閉扉と、
　始動口入賞影響手段と、
　所定の通過口のパチンコ球の通過によって図柄の変換表示が開始する可変表示器と、
　始動口への入賞によって複数の図柄の変換表示が開始する可変表示装置とを有し、
　可変表示器が所定の図柄で停止表示されると、始動口入賞影響手段が所定時間開放し、
　可変表示装置が複数の所定図柄で揃って停止表示されると第１開閉扉が上方に開放されて大入賞口へパチンコ球が入賞可能となるパチンコゲーム機において、
  始動口入賞影響手段を設けた始動口が、第１開閉扉を係着した大入賞口の直上に隣接して配設したものであるパチンコゲーム機。」である点で一致し、以下の点で相違する。  
　
＜相違点１＞ 
　始動口入賞影響手段が、本願発明では大入賞口より狭い開口幅で前面側に開口する始動口の前面部を閉塞するように係着された第１開閉扉よりも横幅が狭い第２開閉扉であるのに対し、引用発明では球を受け入れ難い閉状態と、球を受け入れやすい開状態とに変換可能な開閉翼８２ａ，８２ｂである点。
＜相違点２＞   
　可変表示器が所定の図柄で停止表示されると、本願発明では始動口入賞影響手段である第２開閉扉が所定時間上方を開放するように前面側方向に回動して始動口へパチンコ球が入賞可能となるのに対し、引用発明ではそのような構成となっていない点。
　
５．判断  
　相違点１及び相違点２は関連しているので合わせて検討する。 
　所定の開口幅で前面側に開口する入賞口の前面部を、入賞口に係着され、かつ開閉扉で閉塞するようにし、当該開閉扉が所定時間上方を開放するように前面側方向に回動して入賞口へのパチンコ球の入賞可能とする入賞装置は、実願平５−４６４１０号（実開平７−１２１８０号）のＣＤ−ＲＯＭ、特開平６−２８５２２８号公報、特開平７−２３６７３９号公報（小開閉板３８を参照）に示されるように、従来周知である。また、当該入賞装置において、開閉扉が入賞口を閉塞しているときは、パチンコ球は入賞装置により邪魔されることなく落下するという作用を奏することも周知である。そして、当該入賞装置も始動口も入賞口である点で共通しているから、当該入賞装置の構造を始動口に採用することに困難性はない。
　また、入賞口の開口幅は、他の要素（開閉扉の開放時間、周りの釘の配置等）も考慮して、適正な入球し易さとなるよう、適宜設計すればよい事項であるが、大入賞口と違って始動口は大量のパチンコ球の入球をさせる目的のものではない（例えば、入賞保留は最大４個分）から、その幅は比較的狭いものとするのが自然である。
　そうすると、引用発明の始動口に上記周知の技術手段を採用、すなわち、始動口入賞影響手段である開閉翼８２ａ，８２ｂに代えて、始動口の前面部を、始動口に係着され、かつ開閉扉で閉塞するようにし、当該開閉扉が所定時間上方を開放するように前面側方向に回動して入賞口へのパチンコ球の入賞可能とするとともに、その際に始動口の開口幅を大入賞口より狭くし開閉扉を大入賞口の開閉扉よりも横幅が狭いものとすることにより、相違点１及び２に係る本願発明の構成とすることは、当業者にとって容易に成し得ることに過ぎない。
　　　 
　そして、本願発明の効果は、引用発明、上記周知技術から当業者が予測できる範囲のものである。 
　 
　したがって、本願発明は、引用発明、上記周知技術に基づいて、当業者が容易に発明をすることができたものである。 
　 
６．　むすび 
　以上のとおり、本願発明は、引用発明及び上記周知技術に基づいて、当業者が容易に発明をすることができたものであるから、特許法２９条２項の規定により特許を受けることができない。 
　よって、結論のとおり審決する。